(57)【特許請求の範囲】
【請求項１】
軸筒内に筆記体を配置して、該軸筒の先端開口より筆記体のペン先部が出入自在に構成されるキャップレス筆記具において、
前記軸筒の先端開口に、ゴム材または弾性樹脂材で形成されるインナーキャップを備え、
前記インナーキャップは、軸筒軸心方向に沿ったペン先部出側に、ペン先部が出入自在のスリットが形成されるとともに前記先端開口を閉塞する閉塞部を備え、前記インナーキャップの軸筒軸心方向に沿った軸筒内部側には、該インナーキャップを軸筒内に保持するためのインナーキャップ保持部材が設けられ、前記インナーキャップ保持部材は、その外周部で軸筒内壁部に嵌合保持されるとともに、前記インナーキャップと対向する部位に保持部を備えて該インナーキャップを保持するようにし、前記スリットを閉じるように該閉塞部に力が掛かった状態で軸筒内に装着されるとともに前記閉塞部の軸筒内部側には、前記インナーキャップ保持部材に嵌合される後側取付部が軸筒軸心方向に沿って軸筒内部側に向かい突出形成され、該後側取付部の先端部が外周方向外側に向うように力が掛かった状態で前記インナーキャップ保持部材に装着されることを特徴とするキャップレス筆記具。
【請求項２】
軸筒内に筆記体を配置して、該軸筒の先端開口より筆記体のペン先部が出入自在に構成されるキャップレス筆記具において、
前記軸筒の先端開口に、ゴム材または弾性樹脂材で形成されるインナーキャップを備え、
前記インナーキャップは、軸筒軸心方向に沿ったペン先部出側に、ペン先部が出入自在のスリットが形成されるとともに前記先端開口を閉塞する閉塞部を備え、
前記インナーキャップの前記閉塞部の外周近傍には、該インナーキャップを軸筒内に保持するための前側取付部が先端開口方向に向かい突出形成され、
前記前側取付部の先端部が外周方向内側に向かう力が掛かるように前記インナーキャップが軸筒内に装着されて、前記インナーキャップの閉塞部側より前記スリットに向かい力が作用するようにしたことを特徴とするキャップレス筆記具。
【請求項３】
前記インナーキャップの閉塞部は、先端開口に向かいドーム状に突出形成した形状を有することを特徴とする請求項１または２に記載のキャップレス筆記具。
【発明の詳細な説明】
【０００１】
【発明の属する技術分野】
本発明は、キャップレスの筆記具に関し、特に、乾燥防止機構を有するキャップレスの筆記具に関するものである。
【０００２】
【従来の技術】
従来、水性や油性のマーキングペン、水性ボールペンや万年筆などの筆記具においては、筆記部の先端のインクが乾燥して筆記できなくなることを防止するために、先端部を密閉するためのキャップを備えるものが一般に用いられている。
また、上記のようにキャップを備えた筆記具の場合には、頻繁に使用する際に、使用するたびにキャップを着脱する必要があり面倒であることから、別体のキャップを不要とした、いわゆるキャップレスの筆記具が数多く提案されている。
【０００３】
しかしながら、キャップレスの筆記具の場合、別体のキャップの代わりに狭い筆記体内部に先端部を密閉するための密閉機構を構成する必要があり、従来の方式によると密閉機構が複雑となり、構成部品の部品点数が多くなることで、組立て作業が複雑となり、さらに、生産コストが高くなるという問題点があった。
【０００４】
そこで、筆記部先端を密閉する方法として、実開昭４９−３２７３１号公報（以下、従来例１と称する。）に開示されているように、筆記具の軸筒内部の先端部に中央から外側に向かい切り込みを入れた弁板を組み込み、その切り込み部分より筆記部先端を突出するようにした方式や、実開昭４９−１０７４２１号公報（以下、従来例２と称する。）に開示されているように、筆記具の軸筒内部の基端部及び先端部にパッキンを設けて軸筒内部を密閉するとともに、先端部の対向当接させたパッキンの当接部より筆記部先端を突出するようにした方式や、実開昭６３−２３０８４号公報（以下、従来例３と称する。）に開示されているように、キャップ本体の前方に開口部を有する弾性自閉体を設けて、軸筒先端部のペン先部を突出するようにしたものが提案されている。
【０００５】
また、その他の方法として、特開平１−２８１９９９号公報（以下、従来例４と称する。）に開示されているように、筆記具の軸筒内部の先端部に形成され、筆記部のペン先部が収容されるシール室の先端側を開閉自在とするシール手段を備え、該ペン先部が先端部より突出する時に、シール室の先端側を開放するようにした方式や、実開昭５８−８９３９４号公報（以下、従来例５と称する。）に開示されているように、筆記具の軸筒内の先端部配置される先軸先端部にペン先部を密閉する密閉部材が密嵌固定されて、先軸の動作に伴い密嵌部材の先端部が開閉するようにした方法が提案されている。
【０００６】
【発明が解決しようとする課題】
しかしながら、前記従来例１、２、３のような方式によると、ペン先が突出するシール部にはすでに開口部が形成されているため密閉性に問題があった。また、従来例４のような方式によると、シール室やシール開閉機構など構造が複雑になるという問題点があり、同様に、従来例５のような方式においても、別部品でシール室を構成して開口機構を設けるなど構造が複雑になるという問題点があった。
【０００７】
本発明は、上記従来の問題点に鑑みてなされたものであり、簡単な構成で軸筒内部の先端部の密閉状態を確実にしたキャップレス筆記具を提供することを目的とするものである。
【０００８】
【課題を解決するための手段】
本発明は、軸筒内に筆記体を配置して、該軸筒の先端開口より筆記体のペン先部が出入自在に構成されるキャップレス筆記具において、
前記軸筒の先端開口に、ゴム材または弾性樹脂材で形成されるインナーキャップを備え、
前記インナーキャップは、軸筒軸心方向に沿ったペン先部出側に、ペン先部が出入自在のスリットが形成されるとともに前記先端開口を閉塞する閉塞部を備え、前記インナーキャップの軸筒軸心方向に沿った軸筒内部側には、該インナーキャップを軸筒内に保持するためのインナーキャップ保持部材が設けられ、前記インナーキャップ保持部材は、その外周部で軸筒内壁部に嵌合保持されるとともに、前記インナーキャップと対向する部位に保持部を備えて該インナーキャップを保持するようにし、前記スリットを閉じるように該閉塞部に力が掛かった状態で軸筒内に装着されるとともに前記閉塞部の軸筒内部側には、前記インナーキャップ保持部材に嵌合される後側取付部が軸筒軸心方向に沿って軸筒内部側に向かい突出形成され、該後側取付部の先端部が外周方向外側に向うように力が掛かった状態で前記インナーキャップ保持部材に装着されることを特徴とするキャップレス筆記具である。
【００１１】
本発明は、また、軸筒内に筆記体を配置して、該軸筒の先端開口より筆記体のペン先部が出入自在に構成されるキャップレス筆記具において、
前記軸筒の先端開口に、ゴム材または弾性樹脂材で形成されるインナーキャップを備え、
前記インナーキャップは、軸筒軸心方向に沿ったペン先部出側に、ペン先部が出入自在のスリットが形成されるとともに前記先端開口を閉塞する閉塞部を備え、
前記インナーキャップの前記閉塞部の外周近傍には、該インナーキャップを軸筒内に保持するための前側取付部が先端開口方向に向かい突出形成され、
前記前側取付部の先端部が外周方向内側に向かう力が掛かるように前記インナーキャップが軸筒内に装着されて、前記インナーキャップの閉塞部側より前記スリットに向かい力が作用するようにしたことを特徴とするキャップレス筆記具である。
前記インナーキャップの閉塞部は、先端開口に向かいドーム状に突出形成した形状を有することが好ましい。
【００１２】
本発明によれば、以下のような作用が得られる。
すなわち、軸筒内に筆記体を配置して、該軸筒の先端開口より筆記体のペン先部が出入自在に構成されるキャップレス筆記具において、前記軸筒の先端開口に、ゴム材または弾性樹脂材で形成されるインナーキャップを備え、前記インナーキャップは、軸筒軸心方向に沿ったペン先部出側に、ペン先部が出入自在のスリットが形成されるとともに前記先端開口を閉塞する閉塞部を備え、前記スリットを閉じるように該閉塞部に力が掛かった状態で軸筒内に装着されることで、スリットを常に閉じる方向に力が掛かり、該ペン先突出部の密着性を高めることができるので、軸筒内のペン先部近傍の密閉状態を確実にすることができる。
【００１３】
また、前記インナーキャップの軸筒軸心方向に沿った軸筒内部側には、該インナーキャップを軸筒内に保持するためのインナーキャップ保持部材が設けられ、前記インナーキャップ保持部材は、その外周部で軸筒内壁部に嵌合保持されるとともに、前記インナーキャップと対向する部位に保持部を備えて該インナーキャップを保持するようにしたことで、容易に前記インナーキャップを軸筒内に取付けることができる。しかも、インナーキャップが取付けられるインナーキャップ取付部材の装着部の形状を、前記インナーキャップの取付部の後端部の外形よりも大きく構成し、前記取付部の後端部が外側に開くように該装着部に装着することで、該取付部の後端部が外側に広げられ、これにより、該取付部に連続して形成される閉塞部には外周側から中央部の方向に圧する力が作用するため、すなわち、前記閉塞部の略中央部に形成されるペン先突出部の開口を閉じる方向に力が作用するので、さらに密着性を高めることができる。
【００１４】
また、前記インナーキャップの前記閉塞部の軸筒内部側には、前記インナーキャップ保持部材に嵌合される後側取付部が軸筒軸心方向に沿って軸筒内部側に向かい突出形成され、該後側取付部の先端部が外周方向外側に向うように力が掛かった状態で前記インナーキャップ保持部材に装着されることで、前側の閉塞部には部材の弾性による復元力に加えて外周側より中央方向に向う力が作用するため、略中央部に形成されるペン先突出部の密着性を高めることができる。
【００１５】
また、前記インナーキャップの前記閉塞部の外周近傍には、該インナーキャップを軸筒内に保持するための前側取付部を先端開口方向に向かい突出形成し、例えば、軸筒の先端部内側に前記前側取付部の前端部が外周方向内側に向うように装着部を形成して、該装着部に前記前側取付部を装着することにより、該前側取付部の先端部が外周方向内側に向うようにすることで、閉塞部の外周側よりスリットに向かい力が作用するため、すなわち、前記閉塞部の略中央部に形成されるペン先突出部の開口を閉じる方向に力が作用するので、さらに密着性を高めることができる。
【００１６】
また、前記インナーキャップの閉塞部は、先端開口に向かいドーム状に突出形成した形状とすることで該閉塞部の剛性を高くできるので、スリットを閉じる方向に力が作用した場合に確実にスリットを密着させることができる。
【００１７】
【発明の実施の形態】
以下、本発明の実施の形態を、図面を参照して詳細に説明する。
図１〜図３は発明を実施する形態の一例であって、図中、図と同一の符号を付した部分は同一物を表わしている。
図１は本発明の実施形態に係るキャップレス筆記具の全体の構成を示す断面図、図２は前記キャップレス筆記具の使用時の状態を示す断面図、図３の（ａ）は図１のＡ−Ａ断面矢視図、（ｂ）は本実施形態に係るインナーキャップの装着前の状態を示す（ａ）のＢ−Ｂ断面矢視図、（ｃ）は前記インナーキャップの装着時の状態を示す（ａ）のＢ−Ｂ断面矢視図である。
【００１８】
本実施形態に係るキャップレス筆記具１は、図１に示すように、軸筒２内に筆記体５を配置して、該軸筒２の先端部３に形成された開口部４より筆記体５のペン先部６を突出自在に構成したものである。
前記筆記体５は、軸筒２内の前側の内周に沿って配置されたコイルスプリング７によって後部方向に付勢されるとともに、軸筒２内後部に設けられるストッパ１０により後方で保持されている。また、筆記体５の後端部１１には、ペン先部６を突出させるための押し部１４が、軸筒後端部１２より突出自在に設けられている。
【００１９】
前記筆記体５の後部には、ストッパ係止部１５が軸心方向に沿って後方に向かい広いクサビ状に、かつ軸心方向に向かい突出形成されている。前記ストッパ係止部１５の後端には、軸心方向に略垂直に係止部１５ａが形成され、前記ストッパ１０には、前記係止部１５ａと対向してノッチ１０ａが形成されている。
前記筆記体５は、その後端部１１を前方に向かい、コイルスプリング７のばね力に勝って先端側へ押圧すると、ペン先部６が先端の開口部４より突出するようにされている。
【００２０】
前記軸筒２内の先端部３には、図１、図３の（ａ）〜（ｃ）に示すように、先端方向にドーム状に突出形成された閉塞部２１を有するインナーキャップ２０が設けられている。前記閉塞部２１の基部２２の一部位２２ａより、該閉塞部２１のほぼ中央部２３を通り、軸心方向を中心に対向する部位２２ｂに亘り、平面視で略直線状に外形に沿ってスリット２５が形成されている。
【００２１】
前記インナーキャップ２０はシリコーンゴムで形成され、ドーム状の閉塞部２１の基部２２の外周端部に、三角形状断面を有するペン先側のシール部を兼ねた前側取付部２７が外周に沿って円周に亘りに連続的に先端方向に向かい突出形成されている。また、前記基部２２の後端面２８には、前側取付部２７よりも内側で小径の矩形断面を有する後側のシール部を兼ねた後側取付部２９が円周方向全周に亘りに連続的に軸筒内側方向に向かい突出形成されている。
【００２２】
前記前側取付部２７は、図３の（ｂ）に示すように、インナーキャップ２０が軸筒２内に装着されていない状態で、先端部２７ａが軸筒軸心に沿った方向に対してやや外側に傾斜した形状に形成されている。また、後側取付部２９は、その先端部２９ａ軸筒軸心に沿った方向に対してやや内側に傾斜した形状に形成され、前記スリット２５は僅かな隙間を有している。
【００２３】
前記インナーキャップ２０の後方には、該インナーキャップ２０を軸筒２の先端部３内側に取付けるためのインナーキャップホルダ３０が配置されている。
前記インナーキャップホルダ３０は、リング状に形成され、その円周方向の外周面を前記先端部３の内壁部に嵌合するとともに、前記インナーキャップ２０の前側取付部２７を軸筒２の先端部３の内側へ取付けることで、インナーキャップ２０を軸筒２内部に装着するようにしている。
【００２４】
また、インナーキャップホルダ３０の前記インナーキャップ２０の後側取付部２９と対向する部位には、前記後側取付部２９が嵌め込まれる後側取付溝３１がリング状で略平行に凹んだ形状で形成されている。その後側取付溝３１の外形は、前記後側取付部２９の先端部２９ａの外形よりも大きくされ、前記後側取付部２９を外側に広げた状態で該後側取付溝３１に嵌め込むように構成されている。
【００２５】
前記軸筒２の先端部３の内側には、図１に示すように、インナーキャップ２０の前側取付部２７と対向する部位に、インナーキャップ取付け部３ａが段付き形成され、前側取付部２７が嵌め合わされる前側取付溝３ｂが軸心方向に沿って略平行に形成されている。その前側取付溝３ｂの外形は、前側取付部２７の先端部２７ａの外形よりも小さくされ、前側取付部２７を内側に向かい縮めた状態で前側取付溝３ｂに嵌め込むように構成されている。
【００２６】
次に、本実施形態に係るキャップレス筆記具の作動を説明する。
まず、キャップレス筆記具１を使用しない場合、図１に示すように、軸筒２の内部に筆記体５とともにペン先部６も収容されている。
【００２７】
前記キャップレス筆記具１を使用する場合、図２に示すように、軸筒２を握り、筆記体５の後端部に形成された押し部１４をコイルスプリング７のばね力に勝って先端方向へ押し込む。
図１から図２に示すように、筆記体５が軸筒２内部に入り込むとともに、該筆記体５の後端部１１に形成されたストッパ係止部１５が先端方向に移動する。そして、ストッパ１０を通過して該ストッパ１０端部のノッチ１０ａとストッパ係止部１５の係止部１５ａと対向する位置まで移動する。この時、前記押し部１４は軸筒後端部１２の端部に配置している。
【００２８】
ペン先部６は、インナーキャップ２０の閉塞部２１のスリット２５を押し開き、軸筒２の先端部３の開口部４より突出した状態となっている。
この状態で、前記押し部１４を開放すると、コイルスプリング７のばね力により筆記体５は後方に押し戻されるが、前記ノッチ１０ａに係止部１５ａが止められるため、前記筆記体５が後方から突出することはない。したがって、開口部４よりペン先部６が突出した状態で保持される。
【００２９】
次に、ペン先部６を収容する場合は、ストッパ１０の側面を押し込むことで、ノッチ１０ａと係止部１５ａとを容易に外すことができ、コイルスプリング７のばね力により筆記体５を後方に移動して、ペン先部６を軸筒２内部に収容することができる。
【００３０】
この時、インナーキャップ２０において、スリット２５からペン先部６が軸筒２内に退避すると、前記スリット２５は、シリコーンゴムの弾性力と閉塞部２１の外側から内側に作用する力によって隙間が密着した状態となる。したがって、キャップレス筆記具１を使用しない状態では、スリット２５からの塗布剤の揮発を最小限に止めることができる。
【００３１】
以上のように構成したので、本実施形態によるキャップレス筆記具１によれば、インナーキャップ２０を軸筒内に保持するにインナーキャップホルダ３０を設けたことで、容易にインナーキャップ２０を軸筒２内に取付けることができる。
また、インナーキャップ２０の材質にシリコーンゴムを採用したので、シリコーンゴムの弾性力によりスリット２５の密閉状態を良好に保つとともに、耐久性を高めることができる。さらに、前記インナーキャップ２０に、前側取付部２７および後側取付部２９を形成したので軸筒２内部の密閉状態を確実にすることができる。
【００３２】
また、本実施形態によれは、前記インナーキャップホルダ３０のインナーキャップ２０を取付けるための後側取付溝３１の形状を、前記インナーキャップ２０の後側取付部２９の先端部２９ａの外形よりも大きく構成し、先端部２９ａが外側に開くように後側取付溝３１に嵌め込むようにしたので、後側取付部２９が外側に広げられることにより、後側取付部２９から連続して形成される閉塞部２１に外周側から中央部の方向に圧する力が作用するため、すなわち、前記閉塞部２１の略中央部に形成されるスリット２５の隙間を閉じる方向に力が作用するので、閉塞部２１を形成するシリコーンゴムの弾性による復元力を加えて、さらに密着性を高めることができる。
【００３３】
また、本実施形態によれば、インナーキャップ２０に軸筒２内に嵌め込まれる前側取付部２７を突出形成し、軸筒２の先端部３内側にインナーキャップ２０の前側取付部２７が嵌め込まれる前側取付溝３ｂを形成し、該前側取付部２７の先端部２７ａが外周方向内側に向うようにしたので、閉塞部２１の外周側よりスリット２５に向かい力が作用し、すなわち、前記閉塞部２１の略中央部に形成されるスリット２５の開口を閉じる方向に力が作用するので、さらに密着性を高めることができる。
【００３４】
また、本実施形態によれは、インナーキャップ２０の閉塞部２１を、先端開口に向かいドーム状に突出形成したので、該閉塞部２１の剛性を高くでき、スリット２５を閉じる方向に力が作用した場合に確実にスリット２５を密着させることができる。
【００３５】
尚、本実施形態は、インナーキャップ２０の材質にシリコーンゴムを採用しているが、本発明は、これに限定されるものではなく、変形例として、前記インナーキャップ２０をスポンジ状の弾性体で形成するものであっても良い。この構成によると、ペン先を出し入れする時にインナーキャップ２０のペン先部６が突出する部分、スリット２５をさらに容易に変形、復元できるので、該スリット２５の密着性を高めてより密閉性を高めることができる。
【００３６】
また、インナーキャップ２０のその他の材質として、ＥＰＤＭ、ブチルゴム、フッ素ゴムなど、インク溶剤に対して非透過性に優れたゴム材を使用するものであっても良い。これにより、インナーキャップ２０先端側からのインク溶剤の揮発をさらに防止することができる。
【００３７】
また、本実施形態は、インナーキャップ２０の閉塞部２１の形状をドーム状としているが、本発明は、閉塞部の形状に限定されるものではなく、例えば、平面状としたものや凹状に凹んだ形状としたもの、あるいは円錐状、多角錐状としたものであっても良い。
【００３８】
また、本実施形態は、インナーキャップ２０の閉塞部２１の中央部を通るスリット２５を１箇所に形成しているが、本発明は、スリットの形状や数に限定されるものではなく、スリットを複数形成したものであっても良く、例えば、閉塞部２１の中央部より放射状に３本形成して略三菱状にしたものや、４本形成して十字状に形成したもの、あるいは６本形成したものであってもよい。
【００３９】
また、本実施形態は、インナーキャップ２０の取付部である前側取付部２７、後側取付部２９を、連続的にリング状に形成しているが、本発明は、インナーキャップ２０の取付部の形状に限定されるものではなく、例えば、閉塞部に形成されたスリットの形状によって、スリットを閉じるような力が有効に作用するように、取付部を部分的に構成したものや取付部を分割したものを連続的に構成したものであっても良い。
【００４０】
また、本実施形態は、インナーキャップ２０の取付部の形状を、前側取付部２７の先端部を外側に広く構成し、後側取付部２９の先端部２９ａを内側に狭く構成するようにしているが、本発明は、閉塞部２１に形成されたスリットを閉じるように力が作用するように構成したものであって、インナーキャップ２０の取付部の形状や構成に限定されるものではなく、例えば、前側取付部２７の先端部を内側に狭く構成したものや、後側取付部２９の先端部２９ａを外側に広く構成したもの、あるいは、取付部を軸心に沿った向きに略平行に構成したものであっても良い。すなわち、閉塞部の外周部を変形させることによりスリットを閉じるようにしたものであれば、取付部や閉塞部周りの形状や構成を限定するものではない。
【００４１】
また、本発明のキャップレス筆記具は、上述した説明や図示例にのみ限定されるものではなく、本発明の要旨を逸脱しない範囲内において種々変更を加え得ることは勿論である。
【００４２】
【発明の効果】
以上、説明したように、本発明の請求項１〜５に記載のキャップレス筆記具によれば、簡単な構成で軸筒内部の先端部を密閉できるので、ペン先部の密閉状態を確実にすることができ、長期保存性に優れたキャップレス筆記具を実現できる。
すなわち、軸筒内に筆記体を配置して、該軸筒の先端開口より筆記体のペン先部が出入自在に構成されるキャップレス筆記具において、軸筒の先端開口に、ゴム材または弾性樹脂材より成り、ペン先部が出入自在のスリットが形成されたインナーキャップを、スリットを閉じるようにインナーキャップに力が掛かった状態で軸筒内に装着することで、ペン先部がスリット内に存在しない状態の時には常にスリットを密着させることができ、軸筒内のペン先部近傍の密閉状態を確実にすることができるという優れた効果を奏する。
【図面の簡単な説明】
【図１】本発明の実施形態に係るキャップレス筆記具の全体の構成を示す断面図である。
【図２】前記キャップレス筆記具の使用時の状態を示す断面図である。
【図３】（ａ）は本実施形態に係るインナーキャップの平面視を示す図１のＡ−Ａ断面矢視図、（ｂ）は前記インナーキャップの装着前の状態を示す（ａ）のＢ−Ｂ断面矢視図、（ｃ）は前記インナーキャップの装着時の状態を示す（ａ）のＢ−Ｂ断面矢視図である。
【符号の説明】
１  キャップレス筆記具
２  軸筒
３  先端部
３ａ  インナーキャップ取付部
３ｂ  前側取付溝
４  開口部
５  筆記体
６  ペン先部
２０  インナーキャップ
２１  閉塞部
２５  スリット
２７  前側取付部
２９  後側シール部
２７ａ  先端部
２９  後側取付部
２９ａ  先端部
３０  インナーキャップホルダ
３１  後側取付溝
【図１】
0004666799.tif 000002
【図２】
0004666799.tif 000003
【図３】
0004666799.tif 000004